(57)【特許請求の範囲】
【請求項１】
容器体２の口頚部３外周に嵌合させる装着筒４により容器体内に下端を垂下させた状態でシリンダ５を固定させてなる固定吸引部Ａと、該吸引部上端中央の開口より上方付勢状態で上下動可能に突出させたステム６上端にノズル７付き押し下げヘッド８を嵌着固定した作動部材Ｂとを備え、該作動部材の上下動により容器体内の液を吸い上げてノズルより噴出する如く構成してなる液体噴出ポンプに於いて、上記作動部材Ｂ下面に上端を係止させたコイルスプリング10により、その下面周縁部をシリンダ内に設けた係止段部11に当接した状態で且つ液の上下流通が可能な状態で圧接係止させた基部12と、該基部12下面より垂設した弾性板13を介してシリンダ５下端の弁座14へ圧接してその弁孔を開閉可能に閉塞することにより吸い込み弁Ｃを形成する弁体15とからなり、且つ、上記弾性板13が基部12下面中央より弁体15上面中央に至る蛇行板状をなす弁部材９を設けてなり、該弁部材９は、シリンダ５内面下端に周方向複数突設した係止リブ16上面内側縁に形成した上記係止段部11上に下端のリング部21下面を当接載置させるとともに、該リング部21上面の相対向位置に一対の支持防護壁22を立設し、且つ、各支持防護壁上面間に天板部23を掛け渡した上記基部12を有し、天板部23裏面中央より各支持壁18間に上記弾性板13を垂設するとともに、リング部21内に上記弁体15上部を挿入支持させてなることを特徴とする液体噴出ポンプ。
【発明の詳細な説明】
【０００１】
【発明の属する技術分野】
本発明は液体噴出ポンプに関する。
【０００２】
【従来の技術】
液体噴出ポンプとして、例えば、容器体の口頚部外周に嵌合させた装着筒により下端を容器体内へ垂下させた状態でシリンダを固定させた固定吸引部と、該吸引部上端中央の開口より上方付勢状態で上下動可能に突出させたステムの上端にノズル付き押し下げヘッドを嵌着固定した作動部材とを備え、この作動部材の上下動により容器体内の液を吸い上げてノズルより噴出する如く構成してなるものが知られている。これらは上記ポンプ機能を発揮するため、一般に吸い込み弁及び吐出弁を備えている。
【０００３】
従来のこの種ポンプに於ける吸い込み弁は、極一般にシリンダ下端に設けた弁座上に玉状の弁体を載置させたものが知られている。また、最近では、液噴出後のノズル先端からの液垂れ等を防止する目的で、吸い込み弁の玉状弁体上面を比較的弱い弾発力のコイルスプリングで圧接し、液注出後の作動部材上昇時に、即座の吸い込み弁の開放を禁じてシリンダ内の負圧化をノズル内に伝達し、その結果、ノズル内の液をシリンダ方向へ逆流させて液垂れの防止を図る如く構成したものも知られている。
【０００４】
【発明が解決しようとする課題】
上記ポンプは良好な液垂れ防止を図れるものの、その吸い込み弁は玉状弁体，コイルスプリング及び該スプリング上端を支持係止するための固定用基部等複数の部材により構成しているため、また、各部材の形状も細かく不安定なためその組み付け操作が面倒であるという不都合があった。
【０００５】
本発明はこの様な点を考慮して合成樹脂で一体に形成することができる特殊構成の弁部材を設けることにより、液垂れの防止を図れるとともに、製造，組み付けともに容易に行える吸い込み弁用の弁部材を備えた液体噴出ポンプを提案するものである。
【０００６】
また、成形後の搬送時或いは組付け時に弾性板の変形等の不都合を極力防止できる弁部材を備えたポンプを提案するものである。
【０００７】
【課題を解決するための手段】
第１の手段として、容器体２の口頚部３外周に嵌合させる装着筒４により容器体内に下端を垂下させた状態でシリンダ５を固定させてなる固定吸引部Ａと、該吸引部上端中央の開口より上方付勢状態で上下動可能に突出させたステム６上端にノズル７付き押し下げヘッド８を嵌着固定した作動部材Ｂとを備え、該作動部材の上下動により容器体内の液を吸い上げてノズルより噴出する如く構成してなる液体噴出ポンプに於いて、上記作動部材Ｂ下面に上端を係止させたコイルスプリング10により、その下面周縁部をシリンダ内に設けた係止段部11に当接した状態で且つ液の上下流通が可能な状態で圧接係止させた基部12と、該基部12下面より垂設した弾性板13を介してシリンダ５下端の弁座14へ圧接してその弁孔を開閉可能に閉塞することにより吸い込み弁Ｃを形成する弁体15とからなり、且つ、上記弾性板13が基部12下面中央より弁体15上面中央に至る蛇行板状をなす弁部材９を設けた。
【０００８】
また、第２の手段として、上記第１の手段に於いて、上記弁部材９が、シリンダ５内面下端に周方向複数突設した係止リブ16上面内側縁に形成した係止段部11上に下端のリング部21下面を当接載置させるとともに、該リング部21上面の相対向位置に一対の支持防護壁22を立設し、且つ、各支持防護壁上面間に天板部23を掛け渡した基部12を有し、上記天板部23裏面中央より各支持壁18間に上記弾性板13を垂設するとともに、上記リング部21内に上記弁体15上部を挿入支持させてなる弁部材９とした。
【０００９】
【発明の実施の形態】
以下、本発明の実施例の形態を図面を参照して説明する。
図面に示す如く、本発明の液体噴出ポンプ１は、容器体２の口頚部３外周に嵌合させた装着筒４により容器体内に下端を垂下させた状態でシリンダ５を固定させてなる固定吸引部Ａと、該吸引部上端中央の開口より上下動可能に突出させたステム６上端にノズル７付き押し下げヘッド８を嵌着固定した作動部材Ｂとを備え、該作動部材の上下動により容器体内の液を吸い上げてノズルより噴出する如く構成してなる所謂押し下げヘッド式の液体噴出ポンプを改良したものである。
【００１０】
本発明では、この種従来ポンプに於いて、吸い込み弁Ｃを形成する特殊構成の弁部材９を設けている。該弁部材９は、上記作動部材Ｂ下面に上端を係止させたコイルスプリング10の下端により、その下面周縁部をシリンダ内に設けた係止段部11に当接した状態で且つ液の上下流通が可能な状態で圧接係止させた基部12と、該基部12下面より垂設した弾性板13を介してシリンダ５下端の弁座14へ圧接してその弁孔を開閉可能に閉塞する弁体15とを備えている。また、上記弾性板13は、基部12の下面中央部より弁体15上面中央部に至る蛇行板状に形成して、圧縮時の不規則な変形を防止し、良好な耐久性を得られる如く構成している。
【００１１】
図面に示す実施例に於いてシリンダ５は、上下端を開口した筒状で、外周上部よりフランジを突設し、下端部には縮径したパイプ嵌合用の嵌合筒部を延設し、該筒部内に上端を嵌着させたパイプ30を容器体内下端部に垂下させる。また、シリンダ５内下端内面に周方向複数突設した係止リブ16の内側上端に上記係止段部11をそれそれ形成し、各リブ16の隙間から基部12周囲を通りシリンダ５内上下の液の流通が可能に構成している。
【００１２】
図１の実施例に於いて上記弁部材９は、上記各係止段部11に下面外周縁を当接載置させた底板17上面中央部に立設した横断面十字状の支持壁18を介してその上面に上板19を延設し、更に、上板19上面周囲より嵌合筒部20を立設して基部12を構成している。また、上記底板17下面中央より一体に垂設した蛇行板状の弾性板13を介して弁座14上面に圧接してその弁孔を閉塞する弁体15を延設している。
【００１３】
そして、上記作動部材Ｂのステム６下端部に当接係止させたコイルスプリング10の下端を、上記底板17上面周縁部に圧接係止させて基部12を係止段部11上面に固定させるとともに、作動部材Ｂを常時上方へ付勢させている。また、上記嵌合筒部20は作動部材Ｂの押し下げ係止状態でステム６下端開口部に密嵌して閉塞する如く構成している。
【００１４】
また、図３に示す実施例では、上記基部12が、上記係止段部11上に下端のリング部21の下面を当接載置させるとともに、該リング部21上面の相対向位置に一対の支持防護壁22を立設し、且つ、各支持防護壁上面間に天板部23を掛け渡した基部12であり、上記天板部23裏面中央より各支持防護壁22間に上記弾性板13を垂設するとともに、上記リング部21内に弁体15上部を挿入支持させて弁部材９を構成している。
【００１５】
また、上記各支持防護壁22は、図４乃至図６に示す如く、リング部21の左右の対向位置に外面がリング外面と略同径をなす円弧面状で内面が垂直面状の第１支持壁22a をそれぞれ立設し、また、各第１支持壁22a 上面に外周縁が上記リング部21外面と略同径をなし、第１支持壁22a 上面より広い面積を有する半月状の水平板部22b をそれぞれ延設し、各水平板部22b 上面内側中心部にそれぞれ小径半円柱状の第２支持壁22c を立設し、各第２支持壁22c 上面間に円板状の天板部23を延設し、該天板部上面周縁部より上記嵌合筒部20を起立させている。
【００１６】
ここで上記各実施例に於けるその他の部分を説明しておく。
各実施例では固定吸引部Ａは、上記シリンダ５と、装着筒部材24と、リングキャップ25とを備えている。
【００１７】
装着筒部材24は、装着筒４上端より内方へ取り付け用のフランジを突設して構成し、該フランジをシリンダ５の上記フランジの上面に回動可能に嵌合させ、また、シリンダ上端に嵌着させたリングキャップ25により抜け出しの防止を図り、シリンダに対して回動可能に設けている。そして、シリンダ５の下端を容器体内に挿入垂下させるとともに、シリンダ５のフランジ下面をパッキンを介して容器体口頚部上面に当接させて装着筒部材24のフランジにより圧接係止させる。
【００１８】
リングキャップ25は、シリンダ５の筒壁上端外周に凹凸係合手段を介して下部を抜け出し不能に嵌合させた嵌合筒26をリング状の頂板周縁部より垂設するとともに、頂板内周縁より、ステム６を貫通させるための案内筒27を垂設し、該案内筒外面をシリンダ上部内面に回動不能に密嵌させている。
【００１９】
また、作動部材Ｂのステム６は、シリンダ内と連通してその中の液をその上方の押し下げヘッド８に導入させるための導管で、上下端を開口した有底筒状をなし、その上端を上記案内筒27上方に上下動可能に突出させ、また、下端外周には外周縁をシリンダ５内面に摺動可能に嵌合させた環状ピストン28を設けている。更に、内部上方には吐出弁Ｄを設けている。
【００２０】
また、ステム６の上端には縦筒29を嵌合させて押し下げヘッド８を固定し、上記案内筒27内側面に周設した螺条と螺合する螺条を縦筒29外面に周設し、両者を螺合させることにより押し下げヘッドの押し下げ状態で作動部材Ｂを固定吸引部Ａに係止可能に構成している。
【００２１】
上記の如く構成したポンプ１の使用法の一例に付いて説明すると、押し下げヘッド８を何回か上下動させて初期作動を行い、シリンダ５内に容器体２内の液を導入して準備を整える。次いで押し下げヘッド８を押し下げると、シリンダ５内の加圧液がステム６を通り吐出弁Ｄを開いてノズル７より噴出する。次いでヘッド８の押圧を解除するとコイルスプリング10の作用で作動部材Ｂが上昇し、シリンダ５内が負圧化するため吐出弁Ｄが閉じ、容器体内の液が吸い込み弁Ｃを開いて導入される。この際、吸い込み弁Ｃは弾性板13の作用でその開弁が遅くなり、例えば吐出弁Ｄが確実に閉じるまで開かず、その結果、ノズル７内の液がシリンダ内に逆流してノズル先端からの液垂れの防止等を図っている。また、不使用時の押し下げヘッド８を押し下げ係止させた状態では、不用意に容器を倒すことがあっても弁部材がステム下端を閉塞してシリンダ内の液が漏出するのを防止している。
【００２２】
尚、上記各部材は主として合成樹脂により形成され、必要に応じて金属或いは柔軟性のあるエラストマー等を併用することも可能である。
【００２３】
【発明の効果】
以上説明した如く本発明ポンプは、既述構成としたことにより、特に、作動部材Ｂ下面に上端を係止させたコイルスプリング10により、その下面周縁部をシリンダ内に設けた係止段部11に当接した状態で且つ液の上下流通が可能な状態で圧接係止させた基部12と、該基部12下面より垂設した弾性板13を介してシリンダ５下端の弁座14へ圧接してその弁孔を開閉可能に閉塞する弁体15とからなる弁部材９を設けており、液垂れの防止を図れるとともに、弁部材９は合成樹脂により一体に形成できるため、製造が容易で、しかも、シリンダ内底部への組み付けも容易に行えるという特有の効果を発揮するものである。
【００２４】
また、上記弾性板13は基部12下面中央より弁体15上面中央に至る蛇行板状をなす如く構成しているので、圧縮時の不規則な変形を防止でき、良好な耐久性を得られる利点も兼ね備えている。
【００２５】
また、上記弁部材９が、シリンダ５内面下端に周方向複数突設した係止リブ16上面内側縁に形成した係止段部11上に下端のリング部21下面を当接載置させるとともに、該リング部21上面の相対向位置に一対の支持防護壁22を立設し、且つ、各支持防護壁上面間に天板部23を掛け渡した基部12を有し、上記天板部23裏面中央より各支持防護壁22間に上記弾性板13を垂設するとともに、上記リング部21内に上記弁体15を挿入支持させてなるものにあっては、弾性板13が各支持防護壁22等により保護されるとともに、弁体もリング部により外方へ大きく移行する等を防止でき、その結果、運搬，保管等の際に、特に、弁部材成形後のポンプ組み立てに至るまでの間の弁部材の運搬，保管時に弾性板が変形する等の不都合を生じることを極力防止できる。
【図面の簡単な説明】
【図１】  本発明ポンプの一実施例を示す縦断面図である。
【図２】  同実施例の弁部材を示す縦断面図である。
【図３】  本発明の他の実施例を示す縦断面図である。
【図４】  同実施例の弁部材を示す縦断面図である。
【図５】  同弁部材の９０°回動位置での縦断面図である。
【図６】  同弁部材のＸ−Ｘ線に沿う横断面図である。
【図７】  同弁部材のＹ−Ｙ線に沿う横断面図である。
【符号の説明】
２…容器体，３…口頚部，４…装着筒，５…シリンダ，６…ステム，
７…ノズル，８…押し下げヘッド，９…弁部材，10…コイルスプリング，
11…係止段部，12…基部，13…弾性板，14…弁座，15…弁体，
21…リング部，22…支持防護壁，23…天板部，Ａ…固定吸引部，
Ｂ…作動部材
【図１】
0003678857.tif 000002
【図２】
0003678857.tif 000003
【図３】
0003678857.tif 000004
【図４】
0003678857.tif 000005
【図５】
0003678857.tif 000006
【図６】
0003678857.tif 000007
【図７】
0003678857.tif 000008